(57)【要約】【課題】ビール、清涼飲料等の飲料液体をたる等の液体容器に充填する液体充填機であって、飲料液体を充填する際、滞留部に滞留した飲料液体の滞留液を品質の劣化を起こさせずに充填する。【解決手段】液体容器２に口金３を通して下方向から飲料液体を充填する液体充填機１であって、液体容器２の口金３に当接し、上下に移動自在なシリンダーロッド４と、このシリンダーロッド４の中心長手方向に貫通された排気孔７と、シリンダーロッド４の周辺に設けられた滞留部５と、滞留部５に連通された供給配管６と、滞留部５に上下に摺動自在に嵌着され、滞留部５に滞留された飲料液体を液体容器２内に押し込む押込みシリンダー８とを備えて構成される。【選択図】図１
2006036339.tif 000002
【特許請求の範囲】
【請求項１】
液体容器に口金を通して下方向から飲料液体を充填する液体充填機において、前記液体容器の口金に当接し、上下に移動自在なシリンダーロッドと、このシリンダーロッドの中心長手方向に貫通された排気孔と、前記シリンダーロッドの周辺に設けられた飲料液体の滞留部と、この滞留部に連通された飲料液体の供給配管と、前記滞留部に上下に摺動自在に嵌着され、滞留部に滞留された飲料液体を液体容器内に押込む押込みシリンダーとを備えてなる液体充填機。
【請求項２】
請求項１において、前記シリンダーロッドを押し上げて液体容器の口金を開き、かつ、押込みシリンダーを下方に摺動して供給配管を滞留部を通して液体容器内に連通するとともに、排気孔を液体容器内と連通し、これにより飲料液体を供給配管から滞留部を介して液体容器内に充填し、かつ、液体容器に封入されている気体を排気孔から排気し、次いで、押込みシリンダーを上方に摺動して滞留部に滞留している飲料液体を液体容器内に押し込んだ後、シリンダーロッドを引き下げて液体容器の口金を閉じることを特徴とする請求項１に記載の液体充填機。
【請求項３】
請求項１において、飲料液体がビール、または発泡清涼飲料である請求項１に記載の液体充填機。
【発明の詳細な説明】
【技術分野】
【０００１】
本発明はビール、清涼飲料等の飲料液体をたる等の液体容器に充填する液体充填機に係り、詳細には、飲料液体を充填する際、液体通過部の滞留部を残留させないようにした液体充填機に関する。
【背景技術】
【０００２】
この種の液体充填機として、従来、図５に示すものが知られている。これを図５に従って詳述すると、図５の液体充填機１は液体容器２を逆さにし、下方向から口金３を通して飲料液体を充填する形式のものであって、口金３と当接するシリンダーロッド４と、このシリンダーロッド４の口金３側周辺に設けられた、口金３から充填する液体等を通過させる滞留部５と、飲料液体を図示しない供給源から液体容器２内に送液する供給配管６とを主に備えて構成される。
【０００３】
図５の液体充填機１は操作に当たり、充填前の空の液体容器２を図示しない搬送装置で搬送の後、図２に示されるようにシリンダーロッド４を押し上げて液体容器２の口金３を開くと同時に、シリンダーロッド４を液体容器２に接続する。次いで、充填液制御バルブ１１を開き、飲料液体の供給配管６を液体容器２内に連通して飲料液体を液体容器２内に矢印方向に充填し、同時に液体容器２に封入されている気体を液体容器２内の気体抜き管１０、シリンダーロッド４の中央長手方向に貫通して設けられた排気孔７、次いで排気ライン１３を通して液体容器２内から矢印方向に排気する。このとき、充填中の飲料液体が滞留部５に充満している。
【０００４】
充填が所定量に達したら、図４に示されるようにシリンダーロッド４を引き下げて液体容器２の口金３を閉じ、飲料液体の充填を完了する。滞留部５に滞留している滞留液は滞留部５に連通している図５の排出ライン９を通して排出される。
【０００５】
排出ライン９へ排出された飲料液体は外気と接触するため、品質が劣化してしまい、これを製品として再生するためには大きなコストをかけて複雑な処理を行なうか、または廃却を余儀なくされていた。また、滞留を小さくすべく、液体充填機の改良もなされているが、今だに充分なものではない。
【特許文献１】特開平８−２３０９８８
【発明の開示】
【発明が解決しようとする課題】
【０００６】
解決しようとする課題はビール、清涼飲料等の飲料液体をたる等の液体容器に口金を通して下方向から充填する際, 滞留部に滞留した飲料液体を液体容器内へ充填することにより、上述の公知技術に存する欠点を改良した液体充填機を提供することにある。
【課題を解決するための手段】
【０００７】
上述の課題を解決するため、本発明によれば、液体容器に口金を通して下方向から飲料液体を充填する飲料液体において、前記液体容器の口金に当接し、上下に移動自在なシリンダーロッドと、このシリンダーロッドの中心長手方向に貫通された排気孔と、前記シリンダーロッドの周辺に設けられた滞留部と、この滞留部に連通された飲料液体の供給配管と、前記滞留部に上下に摺動自在に嵌着され、滞留部に滞留された飲料液体を液体容器内に押し込む押込みシリンダーとを備えてなることを特徴とする。
【発明の効果】
【０００８】
上述構成からなる本発明の液体充填機は滞留部に押込みシリンダーを上下に摺動自在に嵌着し、この押込みシリンダーを上方に摺動することにより、滞留部に滞留している飲料液体を外気に触れさせずに液体容器内に押し込むようにしたから、滞留液を品質の劣化を招かずに液体容器内に充填でき、無駄が生じない。
【発明を実施するための最良の形態】
【０００９】
以下、本発明を添付図面を用いて詳述する。
図１は本発明にかかる液体充填機の一具体例の断面図であって、口金を開いて飲料液体を液体容器に充填している状態を表す。図２は口金を開いた状態の部分拡大断面図である。図３は押込みシリンダーを上方に摺動して滞留部に滞留している飲料液体を液体容器内に押し込み、次いでシリンダーロッドを引き下げて口金を閉じた状態の断面図である。図４は口金を閉じた状態の部分拡大断面図である。図５は従来の公知液体充填機の断面図である。
【００１０】
図１〜図４に示されるように、本発明の液体充填機１はビールだる等の液体容器２を逆さにして下方向から口金３を通してビール、発泡清涼飲料等の飲料液体を充填する形式のものであって、液体容器２の口金３に当接し、上下に移動自在なシリンダーロッド４と、このシリンダーロッド４の中心長手方向に貫通された排気孔７と、シリンダーロッド４の周辺に設けられた飲料液体の滞留部５と、滞留部５に連通された飲料液体の供給配管６と、滞留部５に上下に摺動自在に嵌着された滞留液の押込みシリンダー８とを備えて構成される。
【００１１】
上述の構成からなる本発明にかかる液体充填機１は図１および図２に示されるように、シリンダーロッド４を押し上げて液体容器２の口金３を開き、かつ押込みシリンダー８を下方に摺動し、供給配管６を滞留部５を通して液体容器２内に連通するとともに、排気孔７を気体抜き管１０を通して液体容器２内に連通し、これにより、飲料液体を供給配管６から滞留部５を介して液体容器２内に充填し、かつ液体容器２に封入されている気体を排気孔７から排気する。
【００１２】
次いで、図３および図４に示されるように、押込みシリンダー８を上方に摺動して移動し、滞留部に滞留している飲料液体を液体容器２内に押し込んだ後、シリンダーロッド４を引き下げて液体容器２の口金３を閉じ、滞留部５および排気孔７を液体容器２内から遮断する。
【００１３】
本発明の特徴は滞留部５に押込みシリンダー８を上下に摺動自在に嵌着したことに存する。これにより押込みシリンダー８を上方に摺動し、滞留部５に滞留している飲料液体を外気に触れさせずに液体容器２内に押し込むことができ、滞留液を品質の劣化を招かずに液体容器２内に充填でき、無駄が生じない。
【００１４】
上述の本発明液体充填機１は操作に当たり、まず、充填前の空の液体容器２を図示しない搬送装置で搬送し、図１および図２に示されるようにセットの後、シリンダーロッド４を押し上げて液体容器２の口金３を開き、滞留部５を液体容器２内に連通する。図１は口金３を開いた状態の液体充填機１全体の断面図、図２は口金３の開いた状態の拡大部分断面図である。
【００１５】
次いで、充填液制御バルブ１１および排気制御バルブ１２を開き、飲料液体の供給配管６を液体容器２内に連通して図示しない供給源から飲料液体を供給配管６および滞留部５を通して液体容器２内に矢印方向に充填する。同時に液体容器２内に封入されている気体を、液体容器２内の気体抜き管１０、シリンダーロッド４の中央長手方向に貫通して設けられた排気孔７、次いで排気ライン１３を通して液体容器２内から矢印方向に排気する。飲料液体の充填量が図示しない流量計に設定した所定量に達したときに、供給配管６の充填液制御バルブ１１と、排気ライン１３の排気制御バルブ１２とを閉じる。これにより液体容器２への飲料液体の充填が完了する。このとき、滞留部５には飲料液体が充満している。
【００１６】
次いで、図３に示されるように、押込みシリンダー８を上方に摺動し、滞留部５に滞留している飲料液体を外気に触れさせずに液体容器２内に押し込んだ後、図４に示されるように、シリンダーロッド４を引き下げて液体容器２の口金３を閉じ、これにより液体容器２の内部と液体充填機１が切り離される。
【産業上の利用可能性】
【００１７】
上述構成からなる本発明の液体充填機１は滞留部５に押込みシリンダー８を上下に摺動自在に嵌着し、この押込みシリンダー８を上方に摺動することにより、滞留部５に滞留している飲料液体を外気に触れさせずに液体容器２内に押し込むようにしたから、滞留液を品質の劣化を招かずに充填でき、飲料液体の無駄が生じない。したがって、本発明はビール製造工場、清涼飲料製造工場等、飲料を扱う食品工場において利用可能性が高い。
【図面の簡単な説明】
【００１８】
【図１】本発明にかかる液体充填機の一具体例の断面図であって、口金を開いて飲料液体を液体容器に充填している状態を表す。
【図２】口金を開いた状態の部分拡大断面図である。
【図３】押込みシリンダーを上方に摺動して滞留部に滞留している飲料液体を液体容器内に押し込み、シリンダーロッドを引き下げて口金を閉じた状態の断面図である。
【図４】口金を閉じた状態の部分拡大断面図である。
【図５】従来の公知液体充填機の断面図である。
【符号の説明】
【００１９】
１  液体充填機
２  液体容器
３  口金
４  シリンダーロッド
５  滞留部
６  供給配管
７  排気孔
８  押込みシリンダー
１０  気体抜き管
１３  排気ライン
【図１】
2006036339.tif 000003
【図２】
2006036339.tif 000004
【図３】
2006036339.tif 000005
【図４】
2006036339.tif 000006
【図５】
2006036339.tif 000007